(57)【要約】【課題】傾斜又は湾曲してしまった骨盤を矯正することのできる骨盤コルセット用パッド、及び骨盤コルセット用パッドを活用して骨盤の保持及び矯正を行うことのできる骨盤コルセットを提供すること。【解決手段】仙骨３２下方に押接される天面２２と、恥骨３１上端に押接される底面２３と、上底が前記天面に接合し下底が前記底面に接合する等脚台形状の人体接触面２１とを備え、天面２２の前後幅が底面２３の前後幅よりも小さい骨盤コルセット用パッド１を提供する。また、骨盤コルセット用パッド１を挿入して係止するポケット４１を備えた骨盤コルセット４を提供する。骨盤コルセット４を装着し、骨盤コルセット用パッド１の底面を恥骨３１上端に押接させると、腹腔内圧が上昇し、骨盤位置を矯正する。【選択図】図１
2017055780.tif 000002
【特許請求の範囲】
【請求項１】
人体に押接されて骨位置を調整するための骨盤コルセット用パッドであって、
背面、人体接触面、天面、底面及び２つの側面からなり、
前記人体接触面は、正面視等脚台形状であり、等脚台形の上底が前記天面により、下底が前記底面により、斜辺が前記側面により、それぞれ前記背面から離間した位置に配され、
前記底面と前記人体接触面とが７５〜８５度の角度で接合して前記底面と前記人体接触面との境界線に沿って凸圧部が形成され、
前記上底は前記下底よりも長く、
前記天面の前後幅は前記底面の前後幅よりも小さいことを特徴とする、骨盤コルセット用パッド。
【請求項２】
前記上底の長さは４０〜７０ｍｍであり、
前記下底の長さは前記上底の長さよりも１０〜４０ｍｍ短いことを特徴とする、請求項１に記載の骨盤コルセット用パッド。
【請求項３】
前記天面の前後幅は２０〜４０ｍｍであり、
前記底面の前後幅は３０〜７０ｍｍであることを特徴とする、請求項１又は２に記載の骨盤コルセット用パッド。
【請求項４】
前記天面と前記底面とが、６０〜１００ｍｍ離間して平行に設けられていることを特徴とする、請求項１〜３のいずれか一項に記載の骨盤コルセット用パッド。
【請求項５】
前記人体接触面が、前記背面に対して１０〜３０度傾斜して設けられていることを特徴とする、請求項１〜４のいずれか一項に記載の骨盤コルセット用パッド。
【請求項６】
前記側面は、少なくとも前記人体接触面の近傍において、前記背面側に凸で前記人体接触面側に凹の形状を有することを特徴とする、請求項１〜５のいずれか一項に記載の骨盤コルセット用パッド。
【請求項７】
前記人体接触面は、前記等脚台形の表面に凹凸を有することを特徴とする、請求項１〜６のいずれか一項に記載の骨盤コルセット用パッド。
【請求項８】
請求項１〜７のいずれか一項の記載の骨盤コルセット用パッドと、
前記骨盤コルセット用パッドを挿入して係止するポケットと、
前記ポケットを包接し、長さ方向に伸縮する弾性部を有する固定帯とを備えることを特徴とする、骨盤コルセット。
【発明の詳細な説明】
【技術分野】
【０００１】
本発明は、骨盤を保持して健康を獲得・維持するための骨盤コルセット用パッド、及び骨盤コルセット用パッドを利用した骨盤コルセットに関する。
【背景技術】
【０００２】
健康維持、痩身等のために骨盤を固定する骨盤コルセットが知られている。例えば特許文献１には、骨盤を安定して保持するコルセットが開示されている。しかし、体の中心線（垂直線）に対して傾斜している骨盤の位置に対応するものではなく、固定が不十分であった。
【０００３】
この点、特許文献２には、腰部固定帯に対して２０〜３０度前傾した骨盤固定帯を備えたコルセットが開示されている。骨盤の傾斜に合わせて保持するものである。しかし、骨盤を正常位置に保持するのみであり、傾斜あるいは湾曲してしまった骨盤の矯正を行うことができるものではない。
【先行技術文献】
【特許文献】
【０００４】
【特許文献１】特開２００４−１８１０５７号公報
【特許文献２】特開２００４−２０９０５０号公報
【非特許文献】
【０００５】
【非特許文献１】Michael Schuenke , Erik Schulte, Udo Schumacher: Prometheus - Lernatlas der Anatomie (Thieme, Stuttgart)
【発明の概要】
【発明が解決しようとする課題】
【０００６】
本発明は、傾斜又は湾曲してしまった骨盤を矯正することのできる骨盤コルセット用パッド、及び骨盤コルセット用パッドを活用して骨盤の保持及び矯正を行うことのできる骨盤コルセットを提供することを課題とする。
【課題を解決するための手段】
【０００７】
本発明の骨盤コルセット用パッドは、
人体に押接されて骨位置を調整するための骨盤コルセット用パッドであって、
背面、人体接触面、天面、底面及び２つの側面からなり、
前記人体接触面は、正面視等脚台形状であり、等脚台形の上底が前記天面により、下底が前記底面により、斜辺が前記側面により、それぞれ前記背面から離間した位置に配され、
前記底面と前記人体接触面とが７５〜８５度の角度で接合して前記底面と前記人体接触面との境界線に沿って凸圧部が形成され、
前記上底は前記下底よりも長く、
前記天面の前後幅は前記底面の前後幅よりも小さいことを特徴とする。
【０００８】
この特徴によれば、鼠蹊部の形状と骨盤の傾きに合わせた骨盤コルセット用パッドが提供される。骨盤コルセット用パッドは、腹腔に押圧され、腹腔内圧を上昇させる。凸圧部によって恥骨上部の筋肉が刺激される。
【０００９】
本発明の骨盤コルセット用パッドは、
前記上底の長さは４０〜７０ｍｍであり、
前記下底の長さは前記上底の長さよりも１０〜４０ｍｍ短いことを特徴とする。
【００１０】
この特徴によれば、骨盤コルセット用パッドが鼠蹊部の形状に良く整合する。骨盤コルセット用パッドの横幅を骨盤の幅の７０〜８０％とし、人体接触面を効果的に腹腔に押圧するものである。サイズの幅は使用者の体格による個人差に対応するものである。
【００１１】
本発明の骨盤コルセット用パッドは、
前記天面の前後幅は２０〜４０ｍｍであり、
前記底面の前後幅は３０〜７０ｍｍであることを特徴とする。
【００１２】
この特徴によれば、骨盤コルセット用パッドが骨盤の傾きに良く整合する。
【００１３】
本発明の骨盤コルセット用パッドは、
前記天面と前記底面とが、６０〜１００ｍｍ離間して平行に設けられていることを特徴とする。
【００１４】
この特徴によれば、骨盤コルセット用パッドが恥骨と仙骨との間に嵌合される。
【００１５】
本発明の骨盤コルセット用パッドは、
前記人体接触面が、前記背面に対して１０〜３０度傾斜して設けられていることを特徴とする。
【００１６】
この特徴によれば、骨盤コルセット用パッドが、腹腔内圧を上昇させると共に、内臓全体を上方に押す。
【００１７】
本発明の骨盤コルセット用パッドは、
前記側面は、少なくとも前記人体接触面の近傍において、前記背面側に凸で前記人体接触面側に凹の形状を有することを特徴とする。
【００１８】
この特徴によれば、骨盤コルセット用パッドが効果的に腹腔に押圧され、使用時の不快感が少なくなる。ここで、形状の凹凸は平面形状に対する凹凸を言う。
【００１９】
本発明の骨盤コルセット用パッドは、
前記人体接触面は、前記等脚台形の表面に凹凸を有することを特徴とする。
【００２０】
この特徴によれば、骨盤コルセット用パッドが滑動することなく、安定して効果をもたらす。
【００２１】
本発明の骨盤コルセットは、
上述の骨盤コルセット用パッドと、
前記骨盤コルセット用パッドを挿入して係止するポケットと、
前記ポケットを包接し、長さ方向に圧縮する弾性部を有する固定帯とを備えることを特徴とする。
【００２２】
この特徴によれば、骨盤コルセット用パッドを活用した骨盤コルセットが提供される。
【発明の効果】
【００２３】
本発明によれば、傾斜又は湾曲してしまった骨盤を矯正することのできる骨盤コルセット用パッド、及び骨盤コルセット用パッドを活用して骨盤の保持及び矯正を行うことのできる骨盤コルセットを提供することができる。
【図面の簡単な説明】
【００２４】
【図１】図１は、骨盤コルセット用パッドを示す斜視図である。
【図２】図２は、骨盤コルセット用パッドの詳細を示す図である。
【図３】図３は、骨盤を示す図である。
【図４】図４は、腹腔を示す図である。
【図５】図５は、骨盤コルセット用パッドの作用及び効果を示す図である。
【図６】図６は、骨盤コルセット用パッドの作用及び効果を示す図である。
【図７】図７は、骨盤コルセットを示す図である。
【図８】図８は、骨盤コルセット用パッドの変形例を示す図である。
【発明を実施するための形態】
【００２５】
まず、骨盤コルセット用パッド１の形状について説明する。図１は、骨盤コルセット用パッドを示す斜視図である。骨盤コルセット用パッド１を、人体に接触する側の上方から見た図である。等脚台形状の人体接触面２１、天面２２、左側面２４Ｌ及び右側面２４Ｒが図示されている。また、人体接触面２１の下端（後述の底面２３との境界）が凸圧部１１を形成している。なお、図において、他の面との峻別を容易ならしめるため、人体接触面２１を網掛けで示す（以下同じ）。
【００２６】
図２は、骨盤コルセット用パッドの詳細を示す図である。以下、図２を参照しつつ、骨盤コルセット用パッド１の形状を詳細に説明する。図２（Ａ）は天面から見た図、図２（Ｂ）は正面から見た図、図２（Ｃ）は底面から見た図、図２（Ｄ）は右側面から見た図である。
【００２７】
図２（Ａ）に示すように、天面側からは人体接触面２１が見える。一方、図２（Ｃ）に示すように、底面側からは人体接触面２１が見えない。人体接触面２１は、前傾している（人体の前面に骨盤コルセット用パッド１を押接したときに上側が前方に出る）。図２（Ｄ）においてθで示す前掲の角度は、約１４度である。
【００２８】
より正確には、天面２２の前後幅Ｄ１は３０ｍｍであり、底面２３の前後幅は５０ｍｍである。天面２２と底面２３との距離Ｈは８０ｍｍである。これらの値からθを計算すると、約１４度になる。
【００２９】
底面と人体接触面とが接合する角度は９０度−θであり、７６度となる。底面と人体接触面とが接合する角度が６０度〜８０度であることが好ましい。特許文献２には、２０〜３０度前掲した骨盤固定帯（本発明の人体接触面が骨盤を固定するものと仮定すると（実際には骨盤を固定するものではない）、底面と人体接触面とが接合する角度が６０度〜７０度であることに相当）が開示されているが、骨盤矯正には、７０度〜８０度も有効である。「固定」と「矯正」とでは目的が相違するためである。
【００３０】
図２（Ａ）に示すように、正面から見た人体接触面２１の形状は等脚台形である。図２（Ｄ）に示した傾斜があるので、図２（Ｂ）は人体接触面２１の形状を厳密に表すものではない（図面上下方向にｃｏｓθ≒０．９７だけの比率でわずかに縮小されている）が、人体接触面２１の形状は図２（Ｂ）に示す等脚台形に近い。
【００３１】
等脚台形の天面２２と共有される辺を上底、底面２３と共有される辺を下底と呼ぶ。上底の長さＬ１は５５ｍｍ、下底の長さＬ２は２５ｍｍである。ここで、天面２２と底面２３との距離Ｈは８０ｍｍである。すると、図２（Ｂ）にφで示される傾斜は約１０度となる。この傾斜によって、人体接触面２１は、鼠蹊部の形に合ったものとなる。
【００３２】
以上に示した寸法は一例であり、多少の相違は差し支えない。上記は、標準的な体格の使用者に適した寸法である。使用者の体格に対応して寸法が相違してよい。多くの人の体格に合わせるには、５０ｍｍ≦Ｌ１≦６０ｍｍ、１０ｍｍ≦（Ｌ１−Ｌ２）≦４０ｍｍ、２０ｍｍ≦Ｄ１≦４０ｍｍ、３０ｍｍ≦Ｄ２≦７０ｍｍ、６０ｍｍ≦Ｈ≦１００ｍｍとすることが好ましい。
【００３３】
次に、骨盤コルセット用パッド１を押接した場合の効果について説明する。図３は、骨盤を示す図である。骨盤３は、恥骨３１、仙骨３２及び腸骨３３を含む。図に示すように、底面２３を恥骨３１の上端（正確には上端の近傍の皮膚）に当接させ、人体接触面２１をその上方に当接させて用いる。
【００３４】
人体接触部２１が鼠蹊部に押接される。人体接触部２１は、丹田（恥骨と仙骨の間にある）を刺激することとなる。健康維持・増進のために好ましい。
【００３５】
そして、凸圧部１１を含む骨盤コルセット１の全体が腹腔に押圧されて、腹腔内圧を上昇させる。非特許文献１に示されたとおり、腹腔内圧が上昇することにより骨盤が正常な位置に配されるようになる。
【００３６】
図４は、腹腔を示す図である。恥骨３１から横隔膜３４に至る箇所に腹腔３５が存在する。腹腔３５の内圧が上昇して腹腔３５の外側にある筋肉及び骨を押し、骨盤を含む体幹を安定させる。
【００３７】
また、凸圧部１１は恥骨の直上を押圧することができる。恥骨の直上及び近傍には腹直筋、腸骨筋、大腰筋等の筋肉が集中し、恥骨の直上を押圧することによってこれらの筋肉を刺激して腹腔内圧上昇の作用を高めることができる。
【００３８】
以上、骨盤コルセット用パッド１の基礎的な作用と効果を説明した。以下、骨盤コルセット用パッド１がもたらすさらなる作用と効果について説明する。
【００３９】
図５は、骨盤コルセット用パッドの作用及び効果を示す図である。骨盤３を側方から見たものである。図５（Ａ）は、骨盤が前方に傾斜して症状を有する場合を示す。図の一点鎖線は、正常な場合における垂直方向を示す（図５（Ｂ）参照）。
【００４０】
ここで、骨盤コルセット用パッド１を図３のとおりに押接させる。図５（Ａ）に示すように、人体接触部２１が骨盤３を押す。図中白抜き矢印で示すとおり、骨盤３の下部は、人体接触部２１により後方（図面左方）に押される。一方、骨盤３の上部は、人体接触部２１が後方に押されると、人体接触部２１の傾斜面によって発生する分力により上方に押される。
【００４１】
以上のように力が働く結果、骨盤３は、図５（Ａ）の傾斜状態から図５（Ｂ）の正常状態に向けて矯正される。
【００４２】
また、人体接触部２１の傾斜面によって発生する分力は、骨盤３に限らず、内臓全体を上方に押す。これにより、例えば胃下垂を患う者は、胃を上方に押すことで症状が緩和する。
【００４３】
また、骨盤３が湾曲している場合には、図３における左右のいずれか一方が下方に移動し他方が上方に移動している。図６は、骨盤コルセットパッドの作用及び効果を示す図である。骨盤３は、右側が下方に左側が上方に湾曲しているものとする。図５（Ａ）に、湾曲していない場合には同一の高さにある部分を右側３Ｒ及び左側３Ｌで示す。
【００４４】
ここで、骨盤コルセットバッド１は、後述の骨盤コルセット４により、骨盤の湾曲と無関係に傾斜せずに押接している（図６（Ａ）参照）。図６（Ｂ）は骨盤コルセットパッドの斜視図である。右側３Ｒは骨盤コルセットパッド１の下方で、左側３Ｌは骨盤コルセットパッド１の上方で、人体接触面に押接される。
【００４５】
骨盤コルセットパッド１は、右側３Ｒに接する箇所が、左側３Ｌに接する箇所よりも厚い。骨盤コルセットパッド１が押接されると、右側３Ｒが左側３Ｌよりも先に押接され、その後は右側３Ｒが左側３Ｌよりも強い圧力で押接される。上向きの分力は、右側３Ｒのほうが左側３Ｌよりも強いこととなる。
【００４６】
以上のように力が働く結果、骨盤３は、右側が上方に押し上げられ、湾曲が解消する。
【００４７】
次に、骨盤コルセットについて説明する。図７は、骨盤コルセットを示す図である。骨盤コルセット４は、骨盤の高さで胴部に巻いて、骨盤コルセットパッド１を押接するための器具である。
【００４８】
骨盤コルセット４には、ポケット４１、面ファスナ４２及び弾性部４３が設けられている。骨盤コルセット４の外周は胴部の外周よりも短く、弾性部４３を伸ばし、面ファスナ４２を固定して胴部に装着する。弾性部４３の弾性力により、胴部が締め付けられる。なお面ファスナ４２は、図示した内側の面ファスナ４２ａと、骨盤コルセット１の図面裏側の点線よりも図面右側の領域にある外側の面ファスナ４２ｂとからなる。外側の面ファスナ４２ｂが十分に（図面左右方向に）長く、使用者の体型に幅広く対応することができる。
【００４９】
ここでポケット４１に骨盤コルセットパッド１を挿入してあると、骨盤コルセットパッド１が胴部に押接される。骨盤コルセットパッド１の底面を下方にするようにポケット４１に挿入し、骨盤コルセットパッド１の底面２３が恥骨３２の上部に接するようにするものとする。
【００５０】
以上により、骨盤コルセット４は、骨盤コルセットパッド１を鼠蹊部に押接することとなる。
【００５１】
以上詳細に説明したように、本発明の骨盤コルセットパッド１は、腹腔に押圧され、腹腔内圧を上昇させる。非特許文献１に示されたとおり、腹腔内圧が上昇することにより骨盤が正常な位置に配されるようになる。
【００５２】
その際、凸圧部１１によって恥骨の直上にある腹直筋、腸骨筋、大腰筋等の筋肉を刺激して腹腔内圧上昇の作用を高める。
【００５３】
また、鼠蹊部に合わせた形状を有することで、正常な骨盤に対しては丹田を刺激して健康増進効果を有する。
【００５４】
さらに、人体接触面２１が傾斜していることで、内臓を上方に押し上げる効果を有する。
【００５５】
以下、骨盤コルセットパッド１の変形例を示す。上述の実施形態とは人体接触部２１の形状のみが相違する、他の形状及び丹田刺激・矯正の効果は変形しない実施形態と同様であり、詳細な説明を省略する。
【００５６】
図８は、骨盤コルセットパッドの変形例を示す図である。図８（Ａ）は、図１と同様の斜視図である。人体接触面２１が上下方向に波打っていることが図１との相違である。図８（Ｂ）に右側面から見た骨盤コルセットパッド１の形状を示す。
【００５７】
人体接触面２１が上下方向に波打っているため、骨盤コルセットパッド１が上下方向に滑動せず、安定した位置で腹腔内圧を高め、恥骨近傍の筋肉を刺激する。
【産業上の利用可能性】
【００５８】
傾斜又は湾曲してしまった骨盤を矯正することのできる骨盤コルセット用パッド、及び骨盤コルセット用パッドを活用して骨盤の保持及び矯正を行うことのできる骨盤コルセットである。健康や痩身に興味のある多くの個人、特に女性による利用が考えられる。
【符号の説明】
【００５９】
１        骨盤コルセット用パッド
１１      凸圧部
２１      人体接触面
２２      天面
２３      底面
２４      側面
３        骨盤
３１      恥骨
３２      仙骨
３３      腸骨 
３４      横隔膜
３５      腹腔
４        骨盤コルセット
４１      ポケット
４２      面ファスナ
４３      弾性部
【図１】
2017055780.tif 000003
【図２】
2017055780.tif 000004
【図３】
2017055780.tif 000005
【図４】
2017055780.tif 000006
【図５】
2017055780.tif 000007
【図６】
2017055780.tif 000008
【図７】
2017055780.tif 000009
【図８】
2017055780.tif 000010